(57)【特許請求の範囲】
【請求項１】
カラ−画像のコピ−機能とともにファクシミリ機能とプリンタ機能を有するカラ−複合複写機において、ファクシミリモ−ドとプリンタモ−ドのときにそれぞれ異なる単色を選択して転写紙に出力する画像デ−タの印刷色として指定し、指定した色選択信号をカラ−画像生成部に送る出力色選択手段を有することを特徴とするカラ−複合複写機。
【請求項２】
カラ−画像のコピ−機能とともにファクシミリ機能とプリンタ機能を有するカラ−複合複写機において、ファクシミリモ−ドとプリンタモ−ドのときに出力する転写紙の一部に印刷する識別パタ−ンを入力する識別パタ−ン指定手段と、ファクシミリモ−ドとプリンタモ−ドのときにそれぞれ異なる単色を選択して識別パタ−ンの印刷色として指定し、指定した色選択信号をカラ−画像生成部に送る出力色選択手段を有することを特徴とするカラ−複合複写機。
【請求項３】
ファクシミリモ−ドとプリンタモ−ドのときに出力する色を選択して入力する出力カラ−指定手段を有する請求項１又は２記載のカラ−複合機。
【請求項４】
上記カラ−複合複写機がカラ−画像のコピ−機能とプリンタ機能を有し、外付のファクシミリ装置を付加したカラ−複合複写機である請求項１，２又は３記載のカラ−複合複写機。
【発明の詳細な説明】
【０００１】
【産業上の利用分野】
この発明はカラ−画像のコピ−機能とともにファクシミリ機能とプリンタ機能を有するカラ−複合複写機、特に出力する転写紙の管理の容易化に関するものである。
【０００２】
【従来の技術】
コピ−機能とともにファクシミリ機能とプリンタ機能を有する複合複写機においては、画像情報等を印刷して出力する転写紙が混在することを防止するため、出力された転写紙を各動作機能毎に区分けすること必要である。このため、従来の複合複写機１０１は、図６に示すようにコピ−機能のときに転写紙を出力するトレ−１０２以外にファクシミリ機能のときに転写紙を出力するソ−タ１０３ａとプリンタ機能のときに転写紙を出力するソ−タ１０３ｂのように複数のソ−タ１０３を設ける必要があった。
【０００３】
また、ソ−タを有しない複合複写機１０１を使用する場合は、図７に示すように、複合複写機１０１の給紙段１０４をコピ−用給紙段１０４ａとファクシミリ用給紙段１０４ｂとプリンタ給紙段１０４ｃに区分けし、コピ−用給紙段１０４ａには白色紙を収納し、ファクシミリ用給紙段１０４ｂには例えば黄色紙を収納し、プリンタ給紙段１０４ｃには桃色紙を収納して、後の各動作時に出力する転写紙の用紙の色を変えて区分けしたりしている。
【０００４】
【発明が解決しようとする課題】
上記のように複数のソ−タを設けて各機能毎に出力する転写紙を区分けすると、出力された転写紙を容易に管理できるが、複数のソ−タを設けるために複合複写機の機械的な構成が複雑になるとともに、装置が大型になってしまう。
【０００５】
また、各動作機能毎に出力する転写紙の用紙の色を変えて区分けする場合は、複合複写機の機械的な構成を簡略化できるが、動作機能毎の給紙段が必要になるとともに異なる色の転写紙を用意する必要があり、転写紙の管理が容易でなかった。
【０００６】
この発明はかかる短所を改善するためになされたものであり、コピ−機能やファクシミリ機能，プリンタ機能のときに出力する転写紙を容易に識別することができるカラ−複合複写機を得ることを目的とするものである。
【０００７】
【課題を解決するための手段】
この発明に係るカラ−複合複写機は、カラ−画像のコピ−機能とともにファクシミリ機能とプリンタ機能を有するカラ−複合複写機において、ファクシミリモ−ドとプリンタモ−ドのときにそれぞれ異なる単色を選択して転写紙に出力する画像デ−タの印刷色として指定し、指定した色選択信号をカラ−画像生成部に送る出力色選択手段を有することを特徴とする。
【０００８】
また、この発明に係る他のカラ−複合複写機は、ファクシミリモ−ドとプリンタモ−ドのときに出力する転写紙の一部に印刷する識別パタ−ンを入力する識別パタ−ン指定手段と、ファクシミリモ−ドとプリンタモ−ドのときにそれぞれ異なる単色を選択して識別パタ−ンの印刷色として指定し、指定した色選択信号をカラ−画像生成部に送る出力色選択手段を有することを特徴とする。
【０００９】
上記ファクシミリモ−ドとプリンタモ−ドのときに出力する色を出力カラ−指定手段で任意に選択して出力色選択手段に送ることが好ましい。
【００１１】
さらに、上記カラ−複合複写機がカラ−画像のコピ−機能とプリンタ機能を有し、外付のファクシミリ装置を付加したカラ−複合複写機であっても良い。
【００１２】
【作用】
この発明においては、ファクシミリモ−ドとプリンタモ−ドのときに、出力色選択手段は転写紙に出力する画像デ−タの印刷色としてファクシミリモ−ドとプリンタモ−ドとで異なる単色を選択してカラ−画像生成部に送り、出力する画像情報を異なる色で印刷して出力する。
【００１３】
また、他の発明においては、ファクシミリモ−ドとプリンタモ−ドのときに出力する画像情報は同じ色で印刷し、画像情報を出力する転写紙の一部に識別パタ−ン指定手段で指定した識別パタ−ンを異なる色で印刷して、各動作機能毎に出力される転写紙を区分けする。
【００１４】
上記ファクシミリモ−ドとプリンタモ−ドのときに出力する色を出力カラ−指定手段で任意に選択して入力し、転写紙に印刷する色を任意に可変できるようにする。
【００１６】
さらに、上記カラ−複合複写機がカラ−画像のコピ−機能とプリンタ機能を有し、ファクシミリ装置を外付けした場合も、上記と同様に画像情報や識別パタ−ンの色を可変して、出力する転写紙を区分けする。
【００１７】
【実施例】
図１はこの発明の一実施例の構成を示すブロック図である。図に示すように、カラ−複合複写機は、装置全体を管理するシステム制御部１と、各所操作情報等を入力するとともに動作状態を表示する操作表示部２と、スキャナ部４とプリンタ部５と給紙部６を有するエンジン部３と、ファクシミリ部７，識別情報記憶部８及び出力色選択部９を有する。操作表示部２にはファクシミリモ−ドとプリンタモ−ドのときに出力する色を選択して入力する出力カラ−指定部２１を有する。識別情報記憶部８は出力カラ−指定部２１で指定されたファクシミリモ−ドとプリンタモ−ド毎の出力色を記憶する。出力色選択部９はファクシミリモ−ドとプリンタモ−ドのときにそれぞれ異なる単色を選択して転写紙に出力する画像デ−タの印刷色として指定し、指定した色選択信号をプリンタ部５に送る。そして、あらかじめ出力カラ−指定部２１からファクシミリモ−ドのときは画像情報の印刷色として例えばマゼンタが指定し、プリンタモ−ドのときの画像情報の印刷色として例えばマゼンタが指定して、これらの印刷色が動作モ−ドとともに識別情報記憶部７に記憶しておく。
【００１８】
図２は上記カラ−複合複写機のスキャナ部４とプリンタ部５及び給紙部６を有するエンジン部３の機械構成を示す構成図である。
【００１９】
スキャナ部４を大きく機能分けすると読取光学系４００と、原画像を画素に分解して読み取る画像読取手段４５０と、基本画像処理手段４６０と、拡張画像処理手段４７０及び直流電源装置４８０とを有する。
【００２０】
読取光学系４００はプラテンガラス（以下、プラテンという）４０１とシェ−ディング補正用白板４０２と、個体識別用バ−コ−ド板４０３と、第１キャリジ４０４と、第２キャリッジ４０５と、原稿照明ランプ４０６と、第１ミラ−４０７と、第２ミラ−４０８と、第３ミラ−４０９及び結像レンズ４１０とを有する。画像読取手段４５０はカラ−撮像デバイスとアナログ／デジタル変換器とセ−ディング補正回路とサンプリング位置ずれ補償回路とを有する。カラ−撮像デバイスは電荷結合素子（ＣＣＤ）でカラ−撮像機能を備え、赤フィルタで覆われたＲ撮像部と、緑フィルタで覆われたＧ撮像部と、青フィルタで覆われたＢ撮像部とを有する。
【００２１】
読み取る原画１０はプラテン４０１上に複写面が下側になり、読み取り開始位置がプラテン４０１の左端部の画像先端基準位置４１１になるように置かれる。照明ランプ４０６と第１ミラ−４０７は第１キャリッジ４０４に搭載され、第２ミラ−４０８と第３ミラ−４０９は第２キャリッジ４０５に搭載されている。そして原画１０を読み取るときは第１キャリッジ４０４は副走査速度で走行し、第２キャリッジ４０５は副走査速度の１／２で走行する。そして、原画１０を読み取るとき、第１キャリッジ４０４は通常キャリッジホ−ムポジションセンサ４１２の真上で静止して待機している。読取走査指令又はデ−タ要求信号ＲＥＱを受信すると第１キャリッジ４０４ホ−ムポジションから右方向に走査を開始する。第１キャリッジ４０４がキャリッジホ−ムポジションセンサ４１２の検知範囲を外れると、この位置が走査基準位置として記憶され、読み取り位置の校正基準点として用いられる。校正基準点を第１キャリッジ４０４が通過したのち、画像読取手段４５０の撮像デバイスは結像レンズ４１０が投影する各色の画像を主走査線単位で読み取る。この読み取られた画像はプリンタ部５で印刷される。
【００２２】
プリンタ部５は画像形成手段５００と電源装置５０１等を有する。画像形成装置５００は、レ−ザダイオ−ド５１１やｆθレンズ５１２，回転多面鏡５１３やミラ−等を有するレ−ザ露光手段５１０と、感光体ドラム５２０，中間転写ベルト５２１，１次転写コロトロン５２２，２次転写コロトロン５２３，帯電スコロトロン５２４，現像手段５２５，クリ−ナ５２６，搬送ベルト５２７及び定着装置５２８が設けられている。中間転写ベルト５２１には画像先端位置検知手段５２９が設けられている。現像手段５２５にはシアン現像装置５２５Ｃとマゼンタ現像装置５２５Ｍとイエロ−現像装置５２５Ｙ及び黒現像装置５２５Ｋとを有する。定着装置５２８には定着ロ−ル５２８Ａと定着バックアップロ−ル５２８Ｂを有し、定着装置５２８の後段には排出切替ロ−ル５３０や排出ロ−ル５３１が設けられている。
【００２３】
給紙部６には両面複写兼用自動給紙カセット６０１と手挿し給紙トレイ６０２を有し、画像情報を出力する転写紙は給紙ロ−ル６０３Ａ，６０３Ｂから搬送ロ−ラ対６０３Ｃやレジスタロ−ル対６０４を通って送られる。レジスタロ−ル対６０４と給紙カセット６１０Ａ，６１０Ｂ，６１０Ｃとの間には複数の搬送ロ−ル対６０３が設けられている。
【００２４】
まず、上記のように構成されたカラ−複合複写機で、カラ−画像をコピ−するときの動作を説明する。画像形成サイクルを開始すると、まず、感光体ドラム５２０は反時計方向に回転し、中間転写ベルト５２１は時計方向に回転する。この中間転写ベルト５２１の回転に伴ってシアン（Ｃ）トナ−像形成，マゼンタ（Ｍ）トナ−像形成，イエロー（Ｙ）トナ−像形成，黒（Ｋ）トナ−像形成が行われる。Ｃトナ−像を形成するときは、まず帯電スコロトロン５２４はコロナ放電によって感光体ドラム５２０を負電荷に一様に帯電する。続いてレ−ザ露光手段５１０はシアンを指定したＣ信号に基づいてラスタ露光を行う。画像形成のための記録信号は、通常のコピ−モ−ドのときはスキャナ部４から送られ、知的画像処理を含む特殊なコピ−モ−ドやファクシミリモ−ド又はプリンタモ−ドのときはシステム制御部１から送られる。ラスタ像が露光されると、一様に帯電していた感光体ドラム５２０の露光された部分は露光光量に比例して電荷が消失して静電潜像が形成される。現像装置５２５のシアン現像装置５２５Ｃ内のＣトナ−はフェライトキャリアとの撹拌によって負極性に帯電され、シアン現像ロ−ルは感光体ドラム５２０の金属基体層に対して負の直流電位と交流とが重畳された電位にバイアスされている。この結果、感光体ドラム５２０の電荷が残っている部分にはトナ−が付着せず、電荷のない部分、すなわち露光された部分にＣトナ−が吸着され、静電潜像と相似なＣ可視像が形成される。
【００２５】
このようにして感光体ドラム５２０上のトナ−像は反時計回りで回転し、１次転写コロトロン５２２と対向する位置に達すると、感光体ドラム５２０と接して同期速度で駆動される中間転写ベルト５２１にコロナ転写される。感光体ドラム５２０に残った若干の未転写残留トナ−はクリ−ニング装置５２６で除去され、感光体ドラム５２０が清掃される。
【００２６】
中間転写ベルト５２１は、特にプリンタモ−ドで要求の多い長時間像坦持特性を維持させるために、比較的固有抵抗値の大きな材料を用いている。このように中間転写ベルト５２１を形成することにより、次もマゼンタＭトナ−の作像までに時間が例えば２０分と長くかかってもトナ−像を乱すことなく坦持することができる。
【００２７】
中間転写ベルト５２１にＣトナ−像を転写したのちＭ像形成に入る。Ｍ像形成ラスタ露光を行うに先だって現像装置５２５を反時計回りに回転し、マゼンタ現像装置５２４Ｍを感光体ドラム５２０と対向させる。次に、先に形成したＣ可視像の先頭位置を画像先端位置検知手段５２９で検出し、コピ−モ−ドにおいてはスキャナ部４に対して所定時間後に記録Ｍ画像デ−タを送るように指令する要求信号ＲＥＱを再び発行する。この要求信号に正確に同期してＭ信号が送られてくると、上記Ｃ可視像形成の場合と同様に、Ｍ像露光，現像，１次転写が行われ、中間転写ベルト５２１でＣ可視像にＭ可視像が正しく重なるように色版合わせが行われる。同様にして、中間転写ベルト５２１上のＣＭ可視像にＹトナ−像が重畳して形成され、ＣＭＹ可視像にＫトナ−像が重畳して形成される。このようにして中間転写ベルト５２１に形成されたフルカラ−画像は第２転写コロトロン５２３の部分に回転移送される。
【００２８】
一方、画像形成が開始されるときに、転写紙は給紙カセットのいずれかから給送されレジスタロ−ル対６０４のニップで待機している。そして、２次転写コロトロン５２３に中間転写ベルト５２１上のトナ−像の先端がさしかかるときに、転写紙の先端がトナ−像先端と一致するようにレジスタロ−ル対６０４が駆動され転写紙とトナ−像のレジスト合わせが行われる。このようにして転写紙が中間転写ベルト５２１上のトナ−像と重ねられて正電位電源に接続された２次転写コロトロン５２３を通過するときに、転写紙はコロナ放電電流により正電荷で帯電し、トナ−像が転写される。この転写紙に帯電した電荷は２次転写コロトロン５２３のわずか後段に設けられた除電芯（不図示）の位置を通過するときに除電され、２次転写コロトロン５２３から剥離して搬送ベルト５２７に移る。トナ−像を乗せた転写紙は搬送ベルト５２７により定着装置５２８に送られる。定着装置５２８では転写紙を加熱加圧してトナ−像を転写紙に定着させる。このトナ−像を定着した転写紙が排出ロ−ル対５３１で外部に排出される。また、両面コピ−のときには切替ロ−ル５３０で転写紙を反転操作してから両面複写兼用自動給紙カセット６０１に導き、上記処理を繰り返す。
【００２９】
このようにカラ−コピ−をするカラ−複合複写機でファクシミリモ−ドやプリントモ−ドで受信した画像情報等を転写紙に印刷して出力するときの動作を図３のフロ−チャ−トを参照して説明する。
【００３０】
操作表示部２又はファクシミリ部７から動作モ−ドが入力されるとシステム制御部１は入力された動作モ−ドを確認し、動作モ−ドがファクシミリモ−ドやプリントモードのときは、その旨を出力色選択部９に送る（ステップＳ１）。出力色選択部９はファクシミリモ−ドが指定されると、指定されたファクシミリモ−ドにより識別情報記憶部８を検索して、ファクシミリモ−ドに対応した印刷色がマゼンタであることを確認すると、プリンタ部５に印刷色がマゼンタであることを示すＭ選択信号をプリンタ部５に送る（ステップＳ２，Ｓ３）。プリンタ部５はＭ選択信号が送られると、ファクシミリ部７から送られる画像デ−タのＭトナ−像を形成して転写紙に転写して、マゼンタ色で画像情報を印刷した転写紙を出力する（ステップＳ４）。また、出力色選択部９はプリンタモ−ドが指定されると、指定されたプリンタモ−ドにより識別情報記憶部８を検索して、プリンタモ−ドに対応した印刷色がシアンであることを確認すると、プリンタ部５に印刷色がシアンであることを示すＣ選択信号をプリンタ部５に送る（ステップＳ２，Ｓ５，Ｓ６）。プリンタ部５はＣ選択信号が送られると、ファクシミリ部７から送られる画像デ−タのＣトナ−像を形成して転写紙に転写して、シアン色で画像情報を印刷した転写紙を出力する（ステップＳ７）。さらに、システム制御部１は入力された動作モ−ドがファクシミリモ−ドやプリントモ−ドでなくコピ−モ−ドのときは（ステップＳ２，Ｓ３）、上記に記載したようにフルカラ−で印刷することを指定し、フルカラ−印刷を実行させる（ステップＳ８）。
【００３１】
このように動作モ−ドがファクシミリモ−ドのときは画像情報をマゼンタ色で印刷して出力し、プリンタモ−ドのときは画像情報をシアン色で印刷して出力し、コピ−モ−ドのときは画像情報をフルカラ−又は黒色で印刷して出力するから、同じ白色の転写紙に印刷しても、ファクシミリ受信した画像情報か、プリントした画像情報か、またはコピ−した画像情報かを出力した転写紙をみるだけで直ちに識別することができる。
【００３２】
なお、上記実施例はファクシミリモ−ドのときは画像情報をマゼンタ色で印刷して出力し、プリンタモ−ドのときは画像情報をシアン色で印刷して出力する場合について説明したが、これらの印刷色は操作表示部２の出力カラ−指定部２１で任意の単色に指定することができる。
【００３４】
さらに上記実施例は、転写紙に出力する画像情報自体の印刷色を動作モ−ドに応じて変える場合について説明したが、ファクシミリモ−ドやプリンタモ−ドのときに画像情報を例えば黒色で印刷して、転写紙自体に印刷色を代えた識別マ−クや識別パタ−ンを印刷するようにしても良い。
【００３５】
この場合は、例えば図４のブロック図に示すように、操作表示部２に識別パタ−ン指定部２２を設け、識別パタ−ン指定部２２で指定した識別パタ−ン、例えば図５に示すように転写紙２００の外周部に識別パタ−ン２０１を指定し、指定した識別パタ−ン２０１を動作モ−ドに応じた印刷色とともに識別情報記憶部８に記憶しておく。そして、ファクシミリモ−ドやプリンタモ−ドが入力されたときに、動作モ−ドに応じた印刷色ととも識別パタ−ン２０１をプリンタ部５に送り、画像情報とともに識別パタ−ン２０１を所定の単色で印刷する。このように識別パタ−ンや識別マ−クで印刷された転写紙２００を区分けすることにより、画像情報は通常印刷される見やすい黒色で印刷することができる。
【００３６】
また、上記実施例はカラ−複合複写機にファクシミリ部７を有する場合について説明したが、カラ−複合複写機自体にはファクシミリ部７がなく、外付けでファクシミリ装置を付加するカラ−複合複写機においても、上記実施例と同様に動作モ−ドに応じて画像情報や識別パタ−ンの色を可変することにより、出力する転写紙を区分けすることができる。
【００３７】
【発明の効果】
この発明は以上説明したように、ファクシミリモ−ドとプリンタモ−ドのときに、転写紙に出力する画像デ−タの印刷色としてファクシミリモ−ドとプリンタモ−ドとで異なる単色を選択して、出力する画像情報を異なる色で印刷して出力するようにしたから、複数のソ−タや異なる色の転写紙を使用せずに、異なる動作モ−ドで出力した転写紙を簡単に区分けすることができる。
【００３８】
また、ファクシミリモ−ドとプリンタモ−ドのときに、画像情報を出力する転写紙の一部に識別パタ−ンを異なる色で印刷することにより、異なる動作モ−ドで出力した転写紙を簡単に区分けすることができるとともに通常の黒色で印刷した画像情報を得ることができる。
【００３９】
また、ファクシミリモ−ドとプリンタモ−ドのときに印刷する色を任意の単色で選択して指定することにより、画像情報を印刷した転写紙の管理を容易にすることができる。
【００４０】
さらに、上記カラ−複合複写機にファクシミリ装置を外付けした場合も、上記と同様に画像情報や識別パタ−ンの色を可変することにより、出力する転写紙を区分けすることができる。
【図面の簡単な説明】
【図１】この発明の実施例の構成を示すブロック図である。
【図２】上記実施例のスキャナ部とプリンタ部と給紙部の構成図である。
【図３】上記実施例の動作を示すフロ−チャ−トである。
【図４】他の実施例の構成を示すブロック図である。
【図５】他の実施例で画像情報を印刷した転写紙を示す説明図である。
【図６】従来例を示す正面図である。
【図７】他の従来例を示す正面図である。
【符号の説明】
１      システム制御部
２      操作表示部
４      スキャナ部
５      プリンタ部
７      ファクシミリ部
８      識別情報記憶部
９      出力色選択部
２１    出力カラ−指定部
２２    識別パタ−ン指定部
【図１】
0003547838.tif 000002
【図２】
0003547838.tif 000003
【図３】
0003547838.tif 000004
【図４】
0003547838.tif 000005
【図５】
0003547838.tif 000006
【図６】
0003547838.tif 000007
【図７】
0003547838.tif 000008